(57)【特許請求の範囲】
【請求項１】
相対向する一対の縦枠と少なくとも一対の横枠とが組立及び分解可能に組まれた枠体にパネルが取り付けられてなる門扉において、いずれか一方の縦枠に錠ボックス取付用開口部が縦枠を貫通するように形成され、シリンダー錠を収容した錠ボックスが上記錠ボックス取付用開口部から上記縦枠に装着され、この錠ボックスを介してシリンダー錠が門扉に取り付けられるように構成されたシリンダー錠対応門扉であって、
上記シリンダー錠はシリンダー錠本体とこのシリンダー錠本体の一側面が長手方向に延出された錠延出部とからなり、上記錠ボックスはボックス本体とこのボックス本体の一側面が長手方向に延出されたボックス延出部とからなり、シリンダー錠を錠ボックスに収容したときにこれらの錠延出部とボックス延出部が互いに重なるようになされており、
上記錠ボックス取付用開口部よりも大きな平板で構成された、上記シリンダー錠を縦枠に取り付けるための第１取付プレートと、錠ボックスを縦枠に取り付けるための第２取付プレートとを備え、
この第１取付プレートには、シリンダー錠を挿入可能な開口部が形成されるとともにシリンダー錠の錠延出部を係止してシリンダー錠を保持するストッパが形成され、第２取付プレートには、ボックス本体を挿入可能な開口部が形成されるとともに錠ボックスの下端部を支持する支持部が形成され、
上記シリンダー錠の錠延出部と錠ボックスのボックス延出部との間に第１取付プレートのストッパを挟んで縦枠に固定することによりシリンダー錠を第１取付プレートに取り付けるとともに第１取付プレートを縦枠に取り付けてから、縦枠の第１取付プレート取付側の背面側に第２取付プレートを取り付けて錠ボックスを固定し、
第１取付プレートおよび第２取付プレートを介して上記シリンダー錠を収容した錠ボックスが上記錠ボックス取付用開口部から上記縦枠に装着されるとともに、上記錠ボックス取付用開口部が第１取付プレートおよび第２取付プレートによって被覆されることを特徴とするシリンダー錠対応門扉。
【請求項２】
請求項１に記載のシリンダー錠対応門扉であって、
上記第１取付プレートは縦長の長方形状の平板で構成され、上記ストッパはシリンダー錠を挿入する開口部の上縁および下縁が内方へ向かってＬ字状に屈曲されて形成されていることを特徴とするシリンダー錠対応門扉。
【請求項３】
請求項１または２に記載のシリンダー錠対応門扉であって、
上記門扉に装着された錠ボックスの周辺部に、この周辺部をカバーするシリンダー錠プレートが配設されていることを特徴とするシリンダー錠対応門扉。
【請求項４】
請求項３に記載のシリンダー錠対応門扉であって、
上記シリンダー錠プレートには、上記錠ボックスの奥行き方向に阻止片が付加されていることを特徴とするシリンダー錠対応門扉。
【発明の詳細な説明】
【０００１】
【発明の属する技術分野】
本発明は、シリンダー錠を取り付けることができるシリンダー錠対応門扉に関する。
【０００２】
【従来の技術】
従来、門扉にシリンダー錠を取り付ける場合には、シリンダー錠が収まる幅の縦枠にシリンダー錠を直接取り付けていた。また、門扉は、縦枠と横枠とが溶接された一体構造になっているものが一般的であった。
【０００３】
【発明が解決しようとする課題】
しかし、上記した従来技術では、シリンダー錠が収まる幅の縦枠を使用していたため縦枠の幅が広く、材料及び製造コストが嵩むとともに、縦枠の重量が大きいので運搬及び設置に大きな労力を要していた。
【０００４】
また、格子状のパネルを使用した門扉においては、シリンダー錠が露出すると美観が損なわれる虞があるため、シリンダー錠を採用するのは困難であった。さらに、シリンダー錠は、種々のサイズのものが製造されているため、個々のサイズのシリンダー錠に合わせて門扉に取り付ける構成をとる必要があった。
【０００５】
さらに、縦枠と横枠とが溶接された一体構造になっていると、門扉のサイズが合わない場合に、現場でサイズ調整をするのは容易ではなかった。
【０００６】
また、格子状のパネルを使用した門扉にシリンダー錠を取り付けた場合、格子の間隙から裏側へ手を入れてシリンダー錠を開錠することができるといった問題もある。
【０００７】
本発明はこうした問題点を解決するためになされたもので、種々のシリンダー錠を簡易かつ安価に取り付けることができ、かつ枠体のサイズ調整が容易で防犯上優れたシリンダー錠対応門扉を提供することを目的とする。
【０００８】
【課題を解決するための手段】
上記の目的を達成するため本発明は、相対向する一対の縦枠と少なくとも一対の横枠とが組立及び分解可能に組まれた枠体にパネルが取り付けられてなる門扉において、いずれか一方の縦枠に錠ボックス取付用開口部が縦枠を貫通するように形成され、シリンダー錠を収容した錠ボックスが上記錠ボックス取付用開口部から上記縦枠に装着され、この錠ボックスを介してシリンダー錠が門扉に取り付けられるように構成されたシリンダー錠対応門扉であって、上記シリンダー錠はシリンダー錠本体とこのシリンダー錠本体の一側面が長手方向に延出された錠延出部とからなり、上記錠ボックスはボックス本体とこのボックス本体の一側面が長手方向に延出されたボックス延出部とからなり、シリンダー錠を錠ボックスに収容したときにこれらの錠延出部とボックス延出部が互いに重なるようになされており、上記錠ボックス取付用開口部よりも大きな平板で構成された、上記シリンダー錠を縦枠に取り付けるための第１取付プレートと、錠ボックスを縦枠に取り付けるための第２取付プレートとを備え、この第１取付プレートには、シリンダー錠を挿入可能な開口部が形成されるとともにシリンダー錠の錠延出部を係止してシリンダー錠を保持するストッパが形成され、第２取付プレートには、ボックス本体を挿入可能な開口部が形成されるとともに錠ボックスの下端部を支持する支持部が形成され、上記シリンダー錠の錠延出部と錠ボックスのボックス延出部との間に第１取付プレートのストッパを挟んで縦枠に固定することによりシリンダー錠を第１取付プレートに取り付けるとともに第１取付プレートを縦枠に取り付けてから、縦枠の第１取付プレート取付側の背面側に第２取付プレートを取り付けて錠ボックスを固定し、第１取付プレートおよび第２取付プレートを介して上記シリンダー錠を収容した錠ボックスが上記錠ボックス取付用開口部から上記縦枠に装着されるとともに、上記錠ボックス取付用開口部が第１取付プレートおよび第２取付プレートによって被覆されることを特徴とする。
【０００９】
この発明によれば、枠体を縦枠と横枠とに適宜、分解し、組み立てることができる。また、シリンダー錠を錠ボックスに収容して錠ボックス取付用開口部から挿入することによりシリンダー錠を縦枠に取り付けることができる。
【００１０】
本発明は、上記第１取付プレートは縦長の長方形状の平板で構成され、上記ストッパはシリンダー錠を挿入する開口部の上縁および下縁が内方へ向かってＬ字状に屈曲されて形成されていることを特徴とする。
【００１２】
本発明は、上記門扉に装着された錠ボックスの周辺部に、この周辺部をカバーするシリンダー錠プレートが配設されていることを特徴とする。
【００１３】
この発明によれば、錠ボックスの周辺部をカバーすることができる。
【００１４】
本発明は、上記シリンダー錠プレートには、上記錠ボックスの奥行き方向に阻止片が付加されていることを特徴とする。
【００１５】
この発明によれば、錠ボックスの周辺部及び上ボックスの奥行き方向をカバーすることができる。
【００１６】
【実施の形態】
以下、本発明の実施の形態について図を参照して説明する。
【００１７】
図１は本実施の形態に係るシリンダー錠対応門扉１（以下、「門扉１」という。）の全体を示す図、図２は、縦枠２と横枠３の取付構造を示す分解斜視図、図３乃至図６は縦枠２と横枠３の取付構造のバリエーションを示す図、図７乃至図１０は錠ボックス５とこの錠ボックス５を取り付けるための部材を示す図、図１１乃至図１３は錠ボックス５を取り付ける手順を示す図である。
【００１８】
本実施の形態に係る門扉１は、一対の縦枠２と少なくとも一対の横枠３とが組立及び分解可能に組まれた枠体に格子状のパネル７が取り付けられ、いずれか一方の縦枠２に形成された錠ボックス取付用開口部２０と、シリンダー錠４と、このシリンダー錠４を収容する錠ボックス５とから主要部が構成される。以下、順次上記の各構成部分について説明する。
【００１９】
縦枠２と横枠３とは、図２に示すように全体として四角形状に組まれている。一対の縦枠２の相対向する面には、長手方向に所定間隔をおいて複数個の取付部材２１が配設されており、この取付部材２１に横枠３が挿入されてボルト２１０で止められており、適宜、分解及び組み立てできるようになされている。
【００２０】
なお、この縦枠２と横枠３との取付構造は上記したものに限られるものではない。例えば、図３乃至図５に示す構造によっても好適に取り付けられる。以下それぞれの取付構造について説明する。
【００２１】
図３に示す取付構造は、取付部材２１の内面に突起２１１を設けたものである。この突起２１１により、横枠３を仮固定することができるので、ボルト２１０を止める際、一括して行なうことができ、組み立て易くなる。
【００２２】
図４に示す取付構造は、横枠３の先端縁にネジ穴付キャップ３１を取り付け、縦枠２に形成した貫通穴２３１にボルト２１０を介して固定するものである。ここで、ネジ穴付キャップ３１の横枠３への取り付けは、嵌合によっても良く、また、溶接によっても良い。この取付構造によれば、縦枠２に取付部材２１を溶接等によって取り付けるよりも加工が簡単で、加工費を削減することができる。
【００２３】
図５に示す取付構造は、一方の縦枠２に横枠３を溶接によって予め取り付けておき、片持ち状態とされた横枠３の端部に縦枠２を取り付けるものである。
なお、図５のように一方の縦枠２にすべての横枠３を予め取り付けておいても良いが、一部の横枠３を一方の縦枠２に取り付け、残りの横枠３を他方の縦枠２に取り付けても良い。この取付構造によれば、組み立て工程を簡素化することができる。
【００２４】
いずれか一方の縦枠２には、長手方向略中央部に錠ボックス取付用開口部２０が形成されている。なお、他方の縦枠２にはヒンジ部材８２が取り付けられており、このヒンジ部材８２が門柱８に取り付けられたヒンジ部材８１と係合して、門柱８を中心として回動することにより門扉１が開閉自在となるようになされている（図２参照）。
【００２５】
錠ボックス取付用開口部２０は、開口面が長方形をなし、後述する錠ボックス５がこの開口部２０から挿入できるように図られている。この錠ボックス取付用開口部２０は、大きいサイズのシリンダー錠が納まる大きさに形成されており、種類の異なるシリンダー錠であっても適応できるように図られている。なお、この錠ボックス取付用開口部２０は、角柱の縦枠２のみならず、丸柱の縦枠２であっても形成することができる（図６参照）。丸柱の縦枠２に形成する場合は、縦枠２の一部を平面状に加工してから角穴をあけることにより、錠ボックス取付用開口部２０を形成する。
【００２６】
シリンダー錠４は、市販されているシリンダー錠であって、図１１（ａ）に示すように、ー側面が長手方向に延出されて錠延出部４３とされた形状の取付体４２にシリンダー錠本体４１が取り付けられている。なお、ここで取付体４２に取り付けられているのは、シリンダー錠本体４１のみであって、鍵穴、サムターン、レバーハンドル等は後に取り付けられる。
【００２７】
錠ボックス５は、シリンダー錠４を収容して錠ボックス取付用開口部２０から縦枠２に取り付けるためのものである。この錠ボックス５は、図７に示すように、円形の錠穴５１が表面（錠ボックス５がパネル７と接する側の面）と裏面を貫通して設けられた筐体であって、この錠穴５１にシリンダー錠本体４１が取り付けられている。また、錠ボックス５は、ボックス本体５２と、ボックス本体５２の一側面が長手方向に延出されたボックス延出部５３とから構成されている。なお、錠ボックス５は表裏対称に形成されており、右開き若しくは左開きのいずれの門扉に対しても使用することができる。また、錠ボックス５は、シリンダー錠４の種類に合わせて製造されている。
【００２８】
シリンダー錠４と錠ボックス５とを縦枠２に取り付けるために、第１取付プレート６１および第２取付プレート６２が用いられている。
【００２９】
第１取付プレート６１は、縦枠２の錠ボックス取付用開口部２０を被覆するとともにシリンダー錠４・錠ボックス５を取り付けるためのものである。この第１取付プレート６１は図８に示すように、ボックス取付用開口部２０よりも大きい平板である。第１取付プレート６１には、シリンダー錠４の錠延出部４３が嵌め込まれる大きさの開口部６１０が形成されているとともに、この開口部６１０を挟んでストッパー６１１がそれぞれ形成されている。このストッパー６１１が、開口部６１０から嵌め込まれたシリンダー錠４の錠延出部４３を係止するように図られている。
【００３０】
第２取付プレート６２は、縦枠２の錠ボックス取付用開口部２０を被覆するとともに錠ボックス５を着実に取り付けるためのものである。この第２取付プレート６２は、図９に示すように、錠ボックス取付用開口部２０よりも大きい平板である。第２取付プレート６２には、錠ボックス５のボックス本体５２が挿入される開口部６２０が形成されているとともに、この開口部６２０の一側端に支持部６２１が第２取付プレート６２に対して鉛直に形成されている。この支持部６２１が、錠ボックス５が取り付けられた際にボックス本体５２と当接し、支持部６２１とボックス本体５２とがボルトを介して固定されるように図られている。なお、サイズの異なる錠ボックス５に対しては、その錠ボックス５に適合する第１取付プレート６１及び第２取付プレート６２を製作すれば、錠ボックス取付用開口部２０は好適に被覆される。
【００３１】
また、門扉１に取り付けられた錠ボックス５の周辺部には、シリンダー錠プレート６３が配設されている（図１０参照）。このシリンダー錠プレート６３は、錠ボックス５の周辺部をカバーして格子パネル７の間隙から裏側へ手を入れてシリンダー錠４を開錠するのを防止するためのものである。このシリンダー錠プレート６３は、錠ボックス５の表面よりも大きく形成されるとともに、錠穴５１と一致する開口部６３０が形成された平板である。
【００３２】
このシリンダー錠プレート６３には、錠ボックス５の奥行き方向に阻止片６３１が付加されていても良い（図１６参照）。上記したシリンダー錠４の開錠をより確実に防止するためには、シリンダー錠プレート６３を大きくすれば良いが、あまり大きくすると、門扉１の外観が損なわれる。このため、この阻止片６３１は、シリンダー錠プレート６３の大きさを変えずに開錠を防止するために用いられるものである。阻止片６３１は、図１６（ｂ）に示すように、錠ボックス５の厚さよりも若干厚くなされ、両端が同方向に折曲された板状体の部材であって、一方の端部がシリンダー錠プレート６３の端縁にボルト６３２を介して取り付けられている。なお、この阻止片６３１とシリンダー錠プレート６３とは、一体的に形成されていても良い。
【００３３】
次に上記構成の錠ボックス５の取り付け方法について図８乃至図１３を参照しながら説明する。
【００３４】
まず第１取付プレート６１の開口部６１０からシリンダー錠４を挿入し、シリンダー錠４の錠延出部４３がストッパー６１１と係止するまで嵌め込む。次いで、シリンダー錠４を錠ボックス５に挿入し、シリンダー錠本体４１と錠ボックスの錠穴５１とを一致させる。次いで、シリンダー錠４を挿入した錠ボックス５を一方の縦枠２の錠ボックス取付用開口部２０から挿入し、これらのシリンダー錠４、第１取付プレート６１及び錠ボックス５を、ボルトを介して固定する。（図１１( ａ) 参照）。
【００３５】
次に、第２取付プレート６２の開口部６２０に錠ボックス５のボックス本体５２を挿入して、第２取付プレート６２を縦枠２の第１取付プレート６１取付側の背面側に取り付ける。この際、錠ボックス５は第２取付プレート６２の支持部６２１に当接するので、支持部６２１と錠ボックスとをボルトを介して固定する。（図１１（ｂ）参照）。
【００３６】
続いて、シリンダー錠プレート６３を錠ボックス５の表面側に取り付ける( 図１１（ｃ）参照）。なお、上記した部材はいずれもボルトを介して固定しており、また、鍵穴やラッチボルト、サムターン、レバーハンドルなどは、これらの部材を固定した後に取り付ける（図１３参照）。
【００３７】
錠ボックス５が取り付けられた門扉１を受ける側の門扉（両開きの場合）の該縦枠２に対向する縦枠若しくは門柱（片開きの場合）には、縦枠２の錠ボックス取付用開口部２０と同様の大きさの開口部２００が形成されており、この開口部２００を覆う受け側プレート６４が設けられている（図１２参照）。この受け側プレート６４には長手方向中央部に角穴６４０が形成されており、この角穴６４０に縦枠２に設けられたラッチボルトが挿入されるように図られている。したがって、この角穴６４０をシリンダー錠４の種類に合わせて変えることにより、受け側プレート６４が設けられた縦枠若しくは門柱は、一種類で多種類のシリンダー錠４に対応することができる。なお、上記した両開きの門扉の場合、門扉１に対向する門扉には、シリンダー錠プレート６３に対応する位置にシリンダー錠プレート６３と同様な大きさのプレート６５が配設され、シリンダー錠プレート６３とともに、格子パネルの間隙から裏側へ手を入れてシリンダー錠４を開錠するのを防止するように図られている。
【００３８】
次に、本発明の他の実施の形態について図１４及び図１５を参照しながら説明する。
【００３９】
この実施の形態は、縦枠２に開口部を形成することなく、錠ボックス５を取り付けるものである。したがって、上記した実施の形態と縦枠２に錠ボックスを取り付ける形態のみが異なり、他は共通しているので、異なる部分のみ説明する。
【００４０】
図１４に示す例は、錠ボックス５にネジ穴５００を形成し、ボルト５０１を介して縦枠２に取り付けるものである。なお、この場合、錠ボックス５には、ボックス延出部５３を設けない。
【００４１】
また、図１５に示す例は、縦枠２を長手方向に２つに分割し、これらの分割した縦枠２の間に錠ボックス５を挟み込み、錠ボックスのボックス延出部５３を縦枠２に取り付けるものである。
【００４２】
【発明の効果】
以上に説明したとおり、本発明のシリンダー錠対応門扉は、相対向する一対の縦枠と少なくとも一対の横枠とが組立及び分解可能に組まれた枠体にパネルを取り付けてなる門扉であって、いずれか一方の縦枠に、シリンダー錠を収容した錠ボックスが装着され、この錠ボックスを介してシリンダー錠が門扉に取り付けられることを特徴とするので、枠体を縦枠と横枠とに適宜、分解し、組み立てることができる。また、縦枠にシリンダー錠を収容した錠ボックスを取り付けることができる。したがって、縦枠に特殊な加工を必要とせず、低コストでシリンダー錠を取り付けることができる。 また、錠ボックスにシリンダー錠を収容しているので、シリンダー錠が外部に露出することがなく、美観に優れている。
【００４３】
また、いずれか一方の縦枠に錠ボックス取付用開口部を形成し、シリンダー錠を収容した錠ボックスを錠ボックス取付用開口部から上記縦枠に装着し、この錠ボックスを介してシリンダー錠を門扉に取り付ける構成なので、シリンダー錠を錠ボックスに収容して錠ボックス取付用開口部から挿入することによりシリンダー錠を縦枠に取りつけることができる。
【００４４】
したがって、種類の異なるシリンダー錠であっても、そのシリンダー錠に対応する錠ボックスに収容して錠ボックス取付用開口部から縦枠に取り付けることができ、同じ縦枠を使用して門扉を製造することができるので、製造コストを削減することができる。また、縦枠に直接シリンダー錠を取り付ける必要がないので、縦枠の幅を薄くすることができ、非常に安価であって、かつ軽量なので運搬及び設置作業が容易である。
【００４５】
さらに、門扉の枠体は縦枠と横枠とが組立及び分解可能に組まれてなっているので、枠を適宜切断して再度組み立てることによりサイズを調整することができ、現場でも簡単に行うことができる。
【００４６】
また、門扉に装着された錠ボックスの周辺部に、この周辺部をカバーするシリンダー錠プレートを配設した場合は、錠ボックスの周辺部をカバーすることができる。したがって、格子パネルの間隙から裏側へ手を入れてシリンダー錠を開錠するの防止することができる
上記の構成において、シリンダー錠プレートに、錠ボックスの奥行き方向に阻止片を付加した場合は、錠ボックスの周辺部及び上ボックスの奥行き方向をカバーすることができる。したがって、上記したシリンダー錠４の開錠をより確実に防止することができる。
【図面の簡単な説明】
【図１】本発明の実施の形態に係るシリンダー錠対応門扉の全体を示す図である。
【図２】縦枠と横枠の取付構造を示す分解斜視図である。
【図３】縦枠と横枠の他の取付構造を示す図である。
【図４】縦枠と横枠の他の取付構造を示す図である。
【図５】縦枠と横枠の他の取付構造を示す図である。
【図６】縦枠の他の形態を示す図である。
【図７】錠ボックスの構造を示し、（ａ）は正面図、（ｂ）は側面図、（ｃ）は底面図である。
【図８】第１取付プレートの構造を示し、（ａ）は平面図、（ｂ）は側面図である。
【図９】第２取付プレートの構造を示し、（ａ）は平面図、（ｂ）は側面図である。
【図１０】シリンダー錠プレートの取り付け状態を示す図である。
【図１１】錠ボックスの取り付け手順を示す図である。
【図１２】受け側プレートの構造を示す図である。
【図１３】錠ボックスの取り付け手順を示す図である。
【図１４】他の実施の形態に係る錠ボックスの取付構造を示す図である。
【図１５】他の実施の形態に係る錠ボックスの取付構造を示す図である。
【図１６】シリンダー錠プレートの他の形態を示し、（ａ）は平面図、（ｂ）は断面図である。
【符号の説明】
１    シリンダー錠対応門扉
２    縦枠
２０  錠ボックス取付用開口部
３    横枠
４    シリンダー錠
５    錠ボックス
６３  シリンダー錠プレート
６３１阻止片
７    パネル
【図１】
0004340027.tif 000002
【図２】
0004340027.tif 000003
【図３】
0004340027.tif 000004
【図４】
0004340027.tif 000005
【図５】
0004340027.tif 000006
【図６】
0004340027.tif 000007
【図７】
0004340027.tif 000008
【図８】
0004340027.tif 000009
【図９】
0004340027.tif 000010
【図１０】
0004340027.tif 000011
【図１１】
0004340027.tif 000012
【図１２】
0004340027.tif 000013
【図１３】
0004340027.tif 000014
【図１４】
0004340027.tif 000015
【図１５】
0004340027.tif 000016
【図１６】
0004340027.tif 000017